(57)【要約】【課題】スイングアームは、施術中は、インスツルメントを引き出した所定の位置に固定され、術後、インスツルメントをインスツルメントホルダーに戻すことによって、固定が解除され、自動で非使用時の位置に戻される。【解決手段】インスツルメントホースを保持するスイングアーム１０を後方に回動するよう張設されたばね１２と、前方に回動するようスイングアーム１０の回動軸を回転するモータ３０とを有し、インスツルメントがインスツルメントホルダーから取り上げられた時に、モータ３０を駆動してスイングアーム１０を前方に回動するとともに、電磁石３３を付勢し、スイングアーム１０が前方の所定位置ｂに達した時に、電磁石３３にて該所定位置ｂに固定し、インスツルメントをインスツルメントホルダーに戻した時に、電磁石の付勢を解除し、スイングアーム１０をばね１２の引張り力により後方の所定位置ａに引張り、所定位置ｂに固定する。【選択図】図１
2012055460.tif 000002
【特許請求の範囲】
【請求項１】
インスツルメントホルダーより垂下されるインスツルメントホースを保持，回動するスイングアームと、該スイングアームを後方に回動するよう張設されたばねと、該スイングアームを前方に回動するよう前記スイングアームの回動軸を回転するモータと、前記スイングアームが前方に回動して所定の位置に達した時に、該スイングアームを吸引固定するための電磁石と、該スイングアームが前記所定位置に達した時に作動されるスイッチとを有し、インスツルメントがインスツルメントホルダーから取り上げられた時に、前記モータを駆動して前記スイングアームを前方に回動するとともに、前記電磁石を付勢し、該スイングアームが前記所定の位置に達した時に、前記電磁石にて前記スイングアームを前記所定の位置に固定し、前記インスツルメントをインスツルメントホルダーに戻した時に、前記電磁石の付勢を解除し、前記スイングアームを前記ばねの引張り力により前記後方の位置に引張り、該引張り力により、前記スイングアームを前記後方の位置に固定するようにしたことを特徴とする歯科用インスツルメントホースの作動機構。
【発明の詳細な説明】
【技術分野】
【０００１】
本発明は、歯科用インスツルメントホースの作動機構、より詳細には、インスツルメントがインスツルメントホルダーに載置され、インスツルメントホースがインスツルメントホルダーより垂下される型式のインスツルメントホルダーに適用される歯科用インスツルメントホースの作動機構であって、歯科診療に際し、術者がインスツルメントをインスツルメントホルダーから取り出し、診療をし、診療後、インスツルメントホルダーに戻すまでの作動をより効果的に行うようにした歯科用インスツルメントホース作動機構に関する。
【背景技術】
【０００２】
図２は、本発明が適用される歯科用インスツルメントホルダー部の概略を示す図で、図中、１はワークテーブル、２はインスツルメントホルダー、３は、例えば、マイクロエンジン，エアータービン，シリンジ等の歯科治療用インスツルメント、４は各インスツルメントに電気，エアー，水等を供給するためのインスツルメントホースで、インスツルメント３は、インスツルメントホルダー２上にインスツルメントホース４をインスツルメントホルダー２から垂下した状態で載置されており、歯科治療に当り、術者が所望のインスツルメント３をインスツルメントホルダー２から引き出して使用するようになっている。
【０００３】
上述のごとき、インスツルメントホース４をインスツルメントホルダー２より垂下した状態でインスツルメント３をインスツルメントホルダー２上に載置する型式のインスツルメントホルダーを使用する場合、術者がインスツルメントホルダー２から診療に必要なインスツルメント３を引き出すと、当該インスツルメントに連結されているインスツルメントホース４も一緒に引き出されるが、診療後、インスツルメント３をインスツルメントホルダー２に戻す時、この引き出されたインスツルメントホース４も押し戻されなければならず、術者にとって、使用したインスツルメントをインスツルメントホルダーへ戻す作業は面倒くさいものであった。
【０００４】
上述のごとき実情に鑑みて、本出願人は、先に、施術後、インスツルメントをインスツルメントホルダーに自動的にかつ迅速に戻すことができ、術者の負担を軽くしたインスツルメントホース保持機構について提案した（特許文献１）。
【０００５】
図３は、本出願人が先に提案した歯科用インスツルメントホース保持機構の一例を説明するための要部概略構成図で、図中、１０はインスツルメントホース保持アーム（スイングアーム）で、該インスツルメントホース保持アーム１０は、例えば、ワークテーブル１の下部に、軸１１を中心に回動可能に取り付けられ、かつ、ばね部材１２によって、常時は、後方（Ｂ方向）に引っ張られて持ち上げられているようになっている。このインスツルメントホース保持アーム１０の先端部にはインスツルメントホース４が保持されており、該インスツルメントホース４は、常時（非使用時）は、図３に実線１０1にて示すように、床面より相当上方に持ち上げられて保持されており、これにより、インスツルメントホース４が床面等に接して汚れたりすることのないようになっている。
【０００６】
施術に当り、術者は、インスツルメント３をインスツルメントホルダー２より取り出し、ばね部材１２の引っ張り力に抗して引き出すと、インスツルメントホース保持アーム１０は軸１１を中心に矢印Ａ方向に回動し、図３中に破線１０2にて示す所定の位置にくると、該インスツルメントホース保持アーム１０はそれ以上回動しなくなるので、術者はインスツルメントを引く力を緩める。術者がインスツルメントを引く力を緩めると、インスツルメントホース保持アーム１０はばね部材１２の力によって少し戻され、その位置にロックされる。
【０００７】
術者は、インスツルメントホース保持アーム１０がロックされた状態で、かつ、その時のインスツルメントホース引き出し長さで診療を行うが、その時、インスツルメントホース４の垂下長さは、引き出された分だけ短く、従って、垂下したインスツルメントホース４の下端は床面より相当上方にあり、インスツルメントホース４が床面に接して汚れるようなことはない。また、インスツルメントホース４の垂下量が小さいことから、垂下したインスツルメントホースにより引き戻される力も小さく、術者の負担も軽くて済む。
【０００８】
上述のようにして、インスツルメントホース保持アーム１０を所定位置にロックした後（例えば、診療後）、インスツルメントホース４を再度引っ張ると、インスツルメントホース保持アーム１０が少し前方に進み、ロックが解除され、インスツルメントホース保持アーム１０は、ばね部材１２の引っ張り力により、非使用時の位置、即ち、図３中に、実線１０1にて示した位置に迅速に戻り、術者を煩わすこともない。
【先行技術文献】
【特許文献】
【０００９】
【特許文献１】特開２００９−３９４０６号公報
【発明の概要】
【発明が解決しようとする課題】
【００１０】
本発明は、上述のごときインスツルメントホース保持アームの作動をより簡易にして、換言すれば、診療後、何らかの操作をすることなく、単にインスツルメントをインスツルメントホルダーに戻すのみで、インスツルメントホースを所定の非使用時の固定位置に戻すようにし、もって、術者の作業をより簡易にすることを目的としてなされたものである。
【課題を解決するための手段】
【００１１】
上記課題を解決するために、本発明は、インスツルメントホルダーより垂下されるインスツルメントホースを保持，回動するスイングアームと、該スイングアームを後方に回動するよう張設されたばねと、該スイングアームを前方に回動するよう前記スイングアームの回動軸を回転するモータと、前記スイングアームが前方に回動して所定の位置に達した時に、該スイングアームを吸引固定するための電磁石と、該スイングアームが前記所定位置に達した時に作動されるスイッチとを有し、インスツルメントがインスツルメントホルダーから取り上げられた時に、前記モータを駆動して前記スイングアームを前方に回動するとともに、前記電磁石を付勢し、該スイングアームが前記所定の位置に達した時に、前記電磁石にて前記スイングアームを前記所定の位置に固定し、前記インスツルメントをインスツルメントホルダーに戻した時に、前記電磁石の付勢を解除し、前記スイングアームを前記ばねの引張り力により前記後方の位置に引張り、該引張り力により、前記スイングアームを前記後方の位置に固定するようにしたことを特徴としたものである。
【発明の効果】
【００１２】
本発明によると、スイングアーム（インスツルメント保持アーム）１０は、施術中は、前方に引き出されて所定の位置に固定され、非使用時（常時）は、後方に引き戻されて所定の位置に固定されるが、前記の位置から後方の位置へ戻すに際し、単にインスツルメントをインスツルメントホルダーに戻すことによって、前方の位置での固定を解除し、自動で後方の位置へ戻すことができるので、術者に何ら余分の作業を強いることがなく、施術作業が簡単かつ容易になる。
【図面の簡単な説明】
【００１３】
【図１】本発明による歯科用インスツルメントホース作動機構の一実施例を説明するための要部概略構成図である。
【図２】本発明が適用される歯科用インスツルメントホルダーの概略を示す図である。
【図３】出願人が先に提案した歯科用インスツルメントホース保持機構の一例を説明するための要部概略構成図である。
【発明を実施するための形態】
【００１４】
図１は、本発明による歯科用インスツルメント作動機構の一実施例を説明するための要部概略構成図で、図中、ワークテーブル１，インスツルメントホルダー２，インスツルメント３，インスツルメントホース４，インスツルメントホース保持アーム（スイングアーム）１０，該スイングアーム１０を回動可能に支持するスイングアーム支持（回動）軸１１，ばね部材１２等は、図２及び図３に示した部材と同様の作用をする部材で、図２及び図３の場合と同一の参照番号が付してある。なお、本発明においては、インスツルメントホルダー２の各インスツルメント載置部には、当該インスツルメントの存在を検知するセンサが設けられており、当該インスツルメントが取り上げられた時に、該センサが作動するようになっている。
【００１５】
図１において、施術に際し、術者が、図２及び図３に示したインスツルメントホルダー２上のインスツルメント３を取り上げると、該インスツルメントが載置されていることを検知するインスツルメントホルダー２上のセンサが作動し、インスツルメントホルダー２の下部に配置されているモータ３０が駆動される。このモータ３０の回転は歯車（傘歯車３１を含む歯車列）によってインスツルメントホース支持アーム（スイングアーム）１０、支持（回転）軸１１に伝達され、スイングアーム１０を１０1にて示すａの位置からばね１２の引張力に抗してＡ方向にスイングし、１０2にて示す位置ｂの位置まで回動する。
【００１６】
スイングアーム１０は、ｂの位置までスイングすると、ワークテーブル１の下部に設けられたストッパ３２に衝き当って停止するが、ストッパ３２には電磁石３３が設けられており、スイングアーム１０は、この電磁石３３によってｂの位置に固定される。具体的には、電磁石３３は、当該インスツルメントがインスツルメントホルダーから取り上げられた時に、該インスツルメントが取り上げられたことを検知するセンサが作動したときに付勢され、前記スイングアーム１０の該電磁石３３に対向する位置には磁性体１０ａが付設されており、前述のようにして、スイングアーム１０が回動（スイング）されてｂの位置に達した時に、該磁性体１０ａが電磁石３３によって吸引され、スイングアーム１０は該ｂの位置に固定される。ストッパ３２には、常開スイッチ３４が設けられており、スイングアーム１０がｂの位置に達した時に、該スイッチ３４が作動してモータ３０が消勢され、モータの回転が停止され、この状態で、術者は、取り上げたインスツルメントを用いて所望の施術を行うことができる。
【００１７】
施術後、術者がインスツルメントをインスツルメントホルダーに戻すことによって、前記インスツルメントホルダー上のセンサが作動して、電磁石３３への通電が停止して該電磁石が消勢され、該電磁石によるスイングアーム１０の固定が解除され、スイングアーム１０は、ばね１２の引張り力によりＢ方向に回動し、ストッパ３５に当り、スイングアーム１０は、該ばね１２の引張り力とストッパ３５とにより、ａの位置に固定される。
【００１８】
上述のように、本発明によると、スイングアーム（インスツルメント保持アーム）１０は、施術中はｂの位置に固定され、常時は、ａの位置に固定されるが、ｂの位置からａの位置へ戻すに際し、単に、インスツルメントをインスツルメントホルダーに戻すことによって、ｂの位置での固定を解除し、自動でａの位置へ戻すことができるので、術者に何ら余分の作業を強いることがなく、施術作業がより簡単かつ容易になる。
【符号の説明】
【００１９】
１…ワークテーブル、２…インスツルメントホルダー、３…インスツルメント、４…インスツルメントホース、１０…インスツルメントホース保持アーム（スイングアーム）、１０ａ…磁性体、１１…スイングアームの回転軸、１２…ばね部材、３０…モータ、３２…ストッパ、３３…電磁石、３４…スイッチ、３５…ストッパ。
【図１】
2012055460.tif 000003
【図２】
2012055460.tif 000004
【図３】
2012055460.tif 000005